Podtech/llm-jp-corpus-v4-ja_patent huggingface dataset:
(57)【要約】      （修正有）【課題】労力の軽減につながる畝立て用の鍬と農具の取り替え作業を行うことなく二列の作条作業を行なうことができる作条用の鍬を一体化して、両方の機能をもたせ、多目的に対応できる作条部付畝立て鍬を提供する。【解決手段】鍬の畝立て面を横長にするとともに、畝立て面１をくの字型に角度を付け、土をすくいやすくした形状にしたことを特徴とし、また、上部の２箇所を三角の形状に突起させた作条鍬面３とし、２列の作条が容易にできる形状とする。【選択図】図１
0003200133.tif 000002
【実用新案登録請求の範囲】
【請求項１】
鍬の接地刃部分を横長にし、縦の部分を短い形状とし、横長板の一方の長辺側を畝立て用にくの字型に角度を付け、土をすくいやすくした形状にするとともに、作業は谷部分に立ち、同じ谷の土を盛りあげて畝を作る従来の方法ではなく、畝と垂直に立ち、畝を挟んだ畝谷の土を手前の畝に盛ることができる形状にしたもの。
【請求項２】
横長板の片面の２箇所を三角の形状に突起させ、２列の作条が容易にできる形状にしたもの。
【考案の詳細な説明】
【技術分野】
【０００１】
本考案は田畑に畝を作る作業、及び種を蒔くための溝を作る一連の作業を行うことができる機能を持たせた鍬に関するものである。
【背景技術】
【０００２】
従来、田畑に畝を作り、その畝の上に種を蒔くための溝を掘るという一連の作業においては、それぞれの工程において異なる道具が必要であった。また、畝を作る際の立ち位置は畝のラインに並行に立ち、谷とする立場付近の土を鍬等で盛り上げ、畝をつくっていた。
【考案の概要】
【考案が解決しようとする課題】
【０００３】
従来から畑等の農地に播種するまでの工程には、地表を耕して畝を作る畝立作業及び播種する畝の部分を作条する作業の２工程からなり、先ず地面をトラクター等である程度の形状の畝に仕上げ、畝と畝の谷間部分を谷ガキ鍬等で谷の土を畝に盛り上げ、整った畝と畝谷に仕上げる作業を行う。次に三角鍬等で畝に作条作業を行う工程となり、それぞれの工程で異なる２つの道具が必要となっていた。また、谷部分に立ち、立場と同じ谷の土を畝に盛り上げる作業は疲労度が高く、作業効率も悪かった。
【課題を解決するための手段】
【０００４】
本考案はこの問題点に鑑み検討の結果、鍬の接地刃部分を横長にした横長板を使用し、縦の長さを短い形状としたこと、また、横長板の一方の長辺側を畝立て用にくの字型に角度を付け、土をすくいやすくした形状にするとともに、畝と並行となる立ち位置と同じ谷の土を畝に盛る作業をする従来の方法ではなく、畝と垂直に立ち、図２に示したように畝を挟んだ畝谷の土を手前の畝に盛る方法を可能とする形状にしたことを特徴とする。さらに、もう一方の長辺の２箇所を三角の形状に突起させた作条鍬とし、２列の作条が容易にできる形状にしたことを特徴とする。
【考案の効果】
【０００５】
本考案の作条部付畝立て鍬は、従来の畝立て作業をより楽な姿勢で効率よくすることを可能にした。また、１本の道具で２工程の作業が容易にできるようにすることで、作業効率の向上と労働力の軽減、さらに仕上がり状態が良好となる鍬を提供することを可能とした。
【図面の簡単な説明】
【０００６】
【図１】本考案の一実施例を示す要部斜視図である。
【図２】本考案に係る用具の使用状態を示した斜視図である。
【実施例】
【０００７】
図１に示すようにアルミ合金製の横長板材の一方の長辺側の先端部を、アルミ合金製中空丸棒からなる把手（２）を取り付けた側へ折り曲げ鍬の畝立て面（１）とし、他方の長辺側の２箇所に三角の形状（３）の作条鍬面を設け、長い２列の溝を一定の幅で作条できるよう隔設した。
【符号の説明】
【０００８】
１  畝立て面
２  把手
３  作条鍬面
【図１】
0003200133.tif 000003
【図２】
0003200133.tif 000004
【手続補正書】
【提出日】平成27年3月17日(2015.3.17)
【手続補正１】
【補正対象書類名】明細書
【補正対象項目名】０００４
【補正方法】変更
【補正の内容】
【０００４】本考案はこの問題点に鑑み検討の結果、図１に示したように鍬の畝立て面を横長にし、縦の長さを短い形状としたこと、また、畝立て面をくの字型に角度を付け、土をすくいやすくした形状にするとともに、畝と並行となる立ち位置と同じ谷の土を畝に盛る作業をする従来の方法ではなく、畝と垂直に立ち、図２に示したように畝を挟んだ畝谷の土を手前の畝に盛る方法を可能とする形状にしたことを特徴とする。さらに、鍬の上部の２箇所を三角の形状に突起させた作条鍬面とし、２列の作条が容易にできる形状にしたことを特徴とする。
【手続補正２】
【補正対象書類名】実用新案登録請求の範囲
【補正対象項目名】全文
【補正方法】変更
【補正の内容】
【実用新案登録請求の範囲】
【請求項１】
鍬の畝立て面を横長にするとともに、畝立て面をくの字型に角度を付け、土をすくいやすくした形状にしたこと。作業は谷の部分に立ち、同じ谷の土を盛りあげて畝を作る従来の方法ではなく、畝と垂直に立ち、畝を挟んだ畝谷の土を手前の畝に盛ることができる形状にした作条部付畝立て鍬。
【請求項２】
土をすくいやすくした形状を特徴とする請求項１記載の鍬の上部の２箇所を三角の形状に突起させた作条鍬面とし、２列の作条が容易にできる形状にした作条部付畝立て鍬。
【手続補正書】
【提出日】平成27年5月8日(2015.5.8)
【手続補正１】
【補正対象書類名】実用新案登録請求の範囲
【補正対象項目名】全文
【補正方法】変更
【補正の内容】
【実用新案登録請求の範囲】
【請求項１】
鍬の畝立て面を横長にするとともに、畝立て面をくの字型に角度を付け、土をすくいやすくした形状にした作条部付畝立て鍬。
【請求項２】
土をすくいやすくした形状を特徴とする請求項１記載の鍬の上部の２箇所を三角の形状に突起させた作条鍬面とし、２列の作条が容易にできる形状にした作条部付畝立て鍬。
(57)【要約】      （修正有）【課題】マグネシュウム竹炭素電池で動作する冷蔵庫を提供する。【解決手段】冷蔵庫１の左右面及び上面にマグネシュウム竹炭素電池２がはられていて、マグネシュウム竹炭素電池２のＤＣ２４Ｖ出力をインバータで交流電圧に変換した１００Ｖか２２０Ｖ出力で冷蔵庫１を動作することができる。【選択図】図１
0003200140.tif 000002
【実用新案登録請求の範囲】
【請求項１】
マグネシュウム竹炭素電池で動作する直流冷蔵庫、
【考案の詳細な説明】
【技術分野】
【０００１】  本考案はマグネシュウム電池式家電製品に関するものである。
【背景技術】
【０００２】  冷蔵庫に電池を内蔵した電池式家電製品はなかった
【先行技術文献】
【実用新案文献】
【０００３】
【実用新案文献１】
出願（申請）番号  実願２０１５−１４０４
【考案の概要】
【考案が解決しようとする課題】
【０００４】  市販のニッカドやアルカリ電池の形状は筒状や角型をしていて家電製品に組み込むのが難しい問題が課題である
【課題を解決するための手段】
【０００５】  実用新案文献１のマグネシウム竹炭素電池をしようすると形状に関係なく平面的に冷蔵庫の板面を利用し大電力を得ることができる
【考案の効果】
【０００６】  本考案により冷蔵庫や家電製品のすべてを電池式にすることで交流電力の利用が少なくなり原子力発電や火力発電による空気汚染公害を少しでも減らす効果がある
【考案を実施するための最良の形態】
【実施例】
【０００７】  本考案の図面に従って説明する、図１は電池式冷蔵庫外観図で１冷蔵庫の平面部の左右面と上面に２マグネシュウム竹炭素電池をかくめんにはり面積で電力を向上し電圧は層をかさねることでＤＣ２４Ｖにする、図２はマグネシュウム竹炭素電池交流電圧変換構造図で動作説明は２マグネシュウム竹炭素電池のＤＣ２４Ｖ出カを３インバータ（入力直流電圧２４Ｖを交流１００Ｖか交流２２０Ｖ出力変換器）で交流電圧に変換した出力の４コンセントに１冷蔵庫のプラグを差し込み２マグネシュウム竹炭素電池で冷蔵庫を動作することができる、
【図面の簡単な説明】
【０００８】
【図１】電池式冷蔵庫外観図
【図２】マグネシュウム竹炭素電池交流電圧変換構造図
【符号の説明】
【０００９】１冷蔵庫
２マグネシュウム竹炭素電池
３インバータ
４コンセント
【図１】
0003200140.tif 000003
【図２】
0003200140.tif 000004
【手続補正書】
【提出日】平成27年7月10日(2015.7.10)
【手続補正１】
【補正対象書類名】実用新案登録請求の範囲
【補正対象項目名】全文
【補正方法】変更
【補正の内容】
【実用新案登録請求の範囲】
【請求項１】
左右面及び上面を有する冷蔵庫（１）であって、当該左右面及び当該上面にマグネシュウム竹炭素電池（２）がはられていて、当該マグネシュウム竹炭素電池（２）の出力をインバータ（３）で交流電圧に変換した出力で動作する冷蔵庫（１）。
(57)【要約】      （修正有）【課題】カーエアコンを利かすと発生する静電気による感電を防止する静電気防止装置を提供する。【解決手段】ハンドルに導電体１を巻き付け、肘掛けには導電体２を巻き付け、それぞれの端を車のボディに接続する事に依り、静電気を常時放電させる。【選択図】図１
0003200134.tif 000002
【実用新案登録請求の範囲】
【請求項１】
車のエアコンを利かせ、ドアのノブに触れると静電気で感電するが、ハンドルや助手席の肘掛け及び、後部座席の肘掛けにアース帯を設け、車のボディに接続すると、常時静電気が放電する為、感電しないが、ハンドルは、ボディにアースされている為、ハンドルの材質を導電体のカーボンや金属製にすると良く、又、ハンドル表面に金属帯を使用すると効果がある。
【考案の詳細な説明】
【技術分野】
【０００１】  本考案は、車のエアコンを入れると、静電気が発生しやすくなり、車から降りる際、ドアの取手に触れると、ビリッと痛みを覚えるのを、防止する事を備えたことを特徴とする静電気防止装置。
【背景技術】
【０００２】  現在、エアコンを利かすと、静電気が発生しドアの取手に触れるとビリッと痛みを発生する欠点がある。
【考案が解決しようとする課題】
【０００３】  従来技術では、エアコンを利かすと静電気が発生し、静電気が溜まると、アースした際一気に放電し、手の指などに強い痛みを発生するため、静電気防止の装置である。
【課題を解決するための手段】
【０００４】  本考案は、車のハンドルや助手席の手置きに、車体とアースされた電極を配置して、常時身体とアースさせ、放電する為、問題点を解決している。
【考案の効果】
【０００５】  上述の様に、ハンドルや助手席肘掛けに導電体材料を設け、人体とアースさせる事に依り、電気は常時放電する為、静電気が溜まることがない。
【考案を実施するための最良の形態】
【０００６】  ハンドルのシャフトは車体とアースされている為、ハンドルを導電体のカーボン又は、金属製を使用するも良し、ハンドル表面に金属帯を螺旋状に巻くのも良く、常時放電する為、ドアのノブに触れても感電はしない。
【図面の簡単な説明】
【０００７】
【図１】は本考案の斜視図を表す
【符号の説明】
【０００８】１．  ハンドルのアース帯
２．  助手席のアース帯
【図１】
0003200134.tif 000003
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
静電気を常時放電させるため、ハンドルに導電体１を巻き付け又、肘掛けは導電体２を巻き付け、それぞれの端を車のボディに接続する事に依り、常時静電気を放電させる事ができる。
【手続補正書】
【提出日】平成27年7月14日(2015.7.14)
【手続補正１】
【補正対象書類名】実用新案登録請求の範囲
【補正対象項目名】全文
【補正方法】変更
【補正の内容】
【実用新案登録請求の範囲】
【請求項１】
静電気を常時放電させるため、ハンドルに導電体１を巻き付け又、肘掛けは導電体２を巻き付け、それぞれの端を車のボディに接続する事に依り、常時静電気を放電させる事ができる、車の静電気防止装置。
(57)【要約】      （修正有）【課題】クリアファイルで使用した後、二次加工でブックカバーとしても使用できるクリアファイルを提供する。【解決手段】プラスチック製のシートを２つに折り、表面と裏面２を形成し、側辺に溶着加工を施す事により袋を形成したクリアファイルにおいて、表面には表面の上辺に沿った位置にミシン目を形成するとともに、裏面２には中央部分を切り離すためのミシン目を形成することにより、ミシン目５、６、８に沿って表面の上辺と裏面２の中央部分を切り離すことで、ブックカバーとしての使用を可能とした。【選択図】図２
0003200137.tif 000002
【実用新案登録請求の範囲】
【請求項１】
プラスチック製のシートを２つに折り、左右を溶着加工を施す事により袋が形成され（図１）内容物の抜け落ちを抑える効果のあるブックカバーを備えたクリアファイル。
【請求項２】
プラスチック製のシートを２つに折り、左右に溶着加工を施す事により袋が形成され印刷物を収納出来るファイルケースにおいて、前記表面（図１）裏面（図２）をミシン目に沿って切り離すことによってブックカバーとして使えるブックカバーを備えたクリアファイル。
【請求項３】
中央に配置しているシート（図２）は栞（７）として使うもので、上下左右に切れ込みを入れ容易に取り外しが可能な形状に形成されているブックカバーとして使えるブックカバーを備えたクリアファイル。
【考案の詳細な説明】
【技術分野】
【０００１】本考案は、クリアファイルに関するものである。より詳しくは、１枚のプラスチックシートを用い二つ折り加工後、左右の開いた箇所を溶着加工することにより袋状に仕上げ、残りの一辺から内容物の出し入れが出来るクリアファイルであり、ミシン目部分を切り取ることによりブックカバーとしても使用できるものである。
【背景技術】
【０００２】従来のクリアファイルは資料の保管として使用した後、ケースの一部を切り取ってブックカバーになる物は無かった。
【考案の概要】
【考案が解決しようとする課題】
【０００３】従来のクリアファイルは一つの使用用途しか持たず使わなくなると廃棄処分することが多く資源の無駄になるという問題があった。【０００４】従来のクリアファイルは四辺のうち交わる二辺は塞がっているが、残りの二辺は空いている為、中に入れる内容物が抜け落ちる可能性があった。【０００５】従来のクリアファイルであれば会社名等を印刷して宣伝広告として使用できたが、用途を果たすと捨てられてしまい、その宣伝効果も無くなると言う問題があった。
【課題を解決するための手段】
【０００６】本製品は打抜機で、抜き罫、折り罫、ミシン罫、マイクロミシン罫を入れ二辺を溶着加工する事によりクリアファイルとして使用した後、ミシン罫に沿って切り取る事によりブックカバーになる製品である。【０００７】本製品は二つ折り加工後、左右の開口している二辺を溶着加工することにより三辺が塞がる事になる。よって中に入れる内容物が落下する可能性を抑えたクリアファイルである。【０００８】本考案はクリアファイルとして使用した後、ミシン目に沿って切り取ることによりブックカバーとして再度使用できるため捨てられること無く保存効果も高く、広告の効果も持続する。
【考案の効果】
【０００９】本考案はクリアファイルとして使用した後、ミシン目に沿って切り取り、書籍にセットすることによりブックカバーとして使用出来るため、捨てられること無く長期に渡り宣伝効果も期待できる。【００１０】本考案はクリアファイルの三辺を塞ぐ事により内容物が抜け落ちる可能性を抑えられる。
【図面の簡単な説明】
【００１１】
【図１】本考案の表面
【図２】本考案の裏面
【図３】本考案の展開図
【図４】本考案の裏面（ミシン目を切り離した状態）
【考案を実施するための形態】
【００１２】以下、本考案の形態を図に基づいて説明する。
【実施例１】
【００１３】（図３）は型抜きされた１枚のプラスチックシートである。プラスチックシート（図３）の（Ｃ）辺を谷折りにして（Ａ）辺と（Ｅ）辺が重なる様に折り、（図２）の（Ｂ）辺と（Ｄ）辺を溶着加工することにより３辺が塞がる内容物が抜け落ちる可能性が抑えられるクリアファイルが出来る。クリアファイルで使用した後は、（図１）のミシン目（３）、（図２）の（５）、（６）、（８）を切り離しブックカバーとして二次使用が出来る。【００１４】また、（図２）にある（４）はミシン目から切り離すと栞（７）になり読書の途中で使用する事が出来る。
【符号の説明】
【００１５】１．表面
２．裏面
３．ミシン目
４．ミシン目
５．ミシン目
６．ミシン目
７．栞
８．ミシン目
【図１】
0003200137.tif 000003
【図２】
0003200137.tif 000004
【図３】
0003200137.tif 000005
【図４】
0003200137.tif 000006
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
プラスチック製のシートを２つに折り、表面（１）と裏面（２）を形成し、側辺に溶着加工を施す事により袋を形成したクリアファイルにおいて、表面（１）には表面（１）の上辺に沿った位置にミシン目を形成するとともに、裏面（２）には中央部分を切り離すためのミシン目を形成することにより、ミシン目に沿って表面（１）の上辺と裏面（２）の中央部分を切り離すことで、ブックカバーとしての使用を可能としたことを特徴とするブックカバーを備えたクリアファイル。
【請求項２】
請求項１に記載のブックカバーを備えたクリアファイルにおいて、裏面（２）の中央部分に栞（７）として使用するためのミシン目（４）を備えるブックカバーとして使えるブックカバーを備えたクリアファイル。
(57)【要約】      （修正有）【課題】透明ガラスまたは無色透明素材、及び、これを用いて電源オフ及びスリープモード時に鏡として機能し、液晶ディスプレイ及び有機ＥＬディスプレイを有する液晶ディスプレイまたは有機ＥＬディプレイ端末機を提供する。【解決手段】透明ガラス又は無色透明素材の背面に多様なデザイン・任意形状にカットした調光ミラーシートを貼着する。また、調光ミラーシートはガラス、タッチパネル、プラスチックなど透明素材基板に貼着することができる。液晶ディスプレイまたは有機ＥＬディスプレイ端末機は、空気中の水蒸気を自律的作用で水素と酸素に電気分解する除湿素子を液晶端末機筺体下端に帯状に設け、透明ガラスに貼着した調光ミラーシートを可逆的に鏡から透明に透明から鏡にスイッチングする構造的組み合わせを特徴とする透明ガラスまたは無色透明素材を用いる。電源オフ及びスリープモード時に於いて、液晶表示画面は鏡として構成する。【選択図】図１
0003200131.tif 000002
【実用新案登録請求の範囲】
【請求項１】
透明ガラス又は無色透明素材の背面に多様なデザイン・任意形状にカットした調光ミラーシートを貼着することを特徴とする。
【請求項２】
液晶ディスプレイ及び有機ＥＬディスプレイに請求項１記載形状表示。
【請求項３】
除湿素子は、湿度を水素と酸素に電気分解する特性があり、調光ミラーシートを鏡から透明に、透明から鏡にスイッチングする方法。
【請求項４】
水は、光触媒作用により水素と酸素に分解される。その特性を活用し調光ミラーシートを鏡から透明に、透明から鏡にスイッチングする方法。
【請求項５】
電源及びスリープモード時に表示画面は鏡として機能する。
【考案の詳細な説明】
【技術分野】
【０００１】    本考案は、調光ミラーシート特性と除湿素子特性を活用するディスプレイ端末に関するものである。
【背景技術】
【０００２】    調光ミラーシートは、独立行政法人：産業技術総合研究所が開発中の技術であるが実用化に至っていない。
【特許文献】
【特許文献１】  第５２０１６７３号
【０００３】    スマートフォン・タブレット端末は鏡の代用としてインカメラを搭載している。
【考案の概要】
【考案が解決しようとする課題】
【０００４】    上記インカメラは、上付き魚眼レンズ使用でデジタル反転処理動画表示であるため視点が定まらず映像も鏡の代用としては不安定である。【０００５】    本考案は、合金薄膜の鏡であるので透明感・静寂感・すっきり感を備えており上記課題は解決する。
【考案の効果】
【０００６】電源オフ及びスリープモード時に鏡として機能するので消費電力低減になる。
【図面の簡単な説明】
【図１】液晶ディスプレイ及び有機ＥＬディスプレイ表示部の断面を示す拡大側面図である。
【図１】
0003200131.tif 000003
【手続補正書】
【提出日】平成27年1月30日(2015.1.30)
【手続補正１】
【補正対象書類名】実用新案登録請求の範囲
【補正対象項目名】請求項５
【補正方法】変更
【補正の内容】
【請求項５】
電源オフ及びスリープモード時に表示画面は鏡として機能する。
【手続補正書】
【提出日】平成27年4月7日(2015.4.7)
【手続補正１】
【補正対象書類名】実用新案登録請求の範囲
【補正対象項目名】全文
【補正方法】変更
【補正の内容】
【実用新案登録請求の範囲】
【請求項１】
透明ガラス基板又は無色透明基板の背面に多様なデザイン、任意の形状にカット自在な調光ミラーシートを貼着することを特徴とする液晶ディスプレイ又は有機ディスプレイ端末機。
【請求項２】
端末機において調光ミラーが機能するためには、除湿素子構造活用が不可欠であり、除湿素子の特徴である空気中の水分を電気分解によって水素と酸素に分離し、調光ミラー薄膜を透明シートに蒸着した調光シートとガラス基板の間隙に導入すると、調光ミラー薄膜は水素化により、鏡状態から透明状態にスイッチングし、また、酸素を導入すると脱水素化により透明状態に可逆的に変化するスイッチング現象を活用することを特徴とする請求項１記載の液晶ディスプレイ又は有機ディスプレイ端末機。
【請求項３】
端末機筐体下部に帯状又は円形の除湿素子を貼着又は内蔵し、除湿素子の自律的作用により発生する水素と酸素を調光ミラー装置へ送り込むことで調光ミラー薄膜が鏡状態になったり、透明状態になったりする化学的スイッチング現象を活用することを特徴とする請求項１及び２記載の液晶ディスプレイ又は有機ディスプレイ端末機。
【請求項４】
電源オフ及びスリープモード時は光源照射がなく、表示画面は鏡状態に形成されることを特徴とする請求項１から３記載の液晶ディスプレイ又は有機ディスプレイ端末機。
【手続補正２】
【補正対象書類名】図面
【補正対象項目名】全図
【補正方法】変更
【補正の内容】
【図１】
0003200131.tif 000004
【手続補正書】
【提出日】平成27年7月10日(2015.7.10)
【手続補正１】
【補正対象書類名】実用新案登録請求の範囲
【補正対象項目名】全文
【補正方法】変更
【補正の内容】
【実用新案登録請求の範囲】
【請求項１】
透明ガラス或いは無色透明素材の裏面に、無地または任意形状にカットした調光ミラーシートを貼着することを特徴とする透明ガラスまたは無色透明素材。
【請求項２】
空気中の水蒸気を自律的作用で水素と酸素に電気分解する除湿素子を液晶端末機筺体下端に帯状に設け、透明ガラスに貼着した調光ミラーシートを可逆的に鏡から透明に透明から鏡にスイッチングする構造的組み合わせを特徴とする請求項１記載の透明ガラスまたは無色透明素材を用いた液晶ディスプレイまたは有機ＥＬディスプレイ端末機。
【請求項３】
液晶端末機筺体の背面に帯状または円形の除湿素子を設け、水素と酸素を調光ミラーシート装置へ可逆的にスイッチング導入する構造的組み合わせを特徴とする請求項１または２記載の透明ガラスまたは無色透明素材を用いた液晶ディスプレイまたは有機ＥＬディスプレイ端末機。
【請求項４】
電源オフ及びスリープモード時に於いて、液晶表示画面は鏡として構成することを特徴とする請求項１〜３のいずれか一項に記載の透明ガラスまたは無色透明素材に調光ミラーシートを貼着した液晶ディスプレイまたは有機ＥＬディスプレイ端末機。
【手続補正２】
【補正対象書類名】図面
【補正対象項目名】全図
【補正方法】変更
【補正の内容】
【図１】
0003200131.tif 000005
(57)【要約】      （修正有）【課題】洋服の防虫カバーにおいて最上部の開口部とフック周りを隙間なく閉じることの出来るクリップを提供する。【解決手段】バネ３のある支点４を設け、左右のクリップはハンガーフックを挟むための巾を拡げ、内面は付け根より先端近くまでブラシ５を設け、先端を挟み合わす構造からなる。【選択図】図２
0003200160.tif 000002
【実用新案登録請求の範囲】
【請求項１】
バネのある支点を設け、左右のクリップはハンガーフックを挟むための巾を拡げ、内面は付け根より先端近くまでブラシを設け、先端を挟み合わす構造からなるクリップ。
【考案の詳細な説明】
【技術分野】
【０００１】  本考案は合成樹脂又は金属系の素材からなるクリップに関する。
【背景技術】
【０００２】  従来の防虫カバー「以下（カバー）という」には、洋服を出し入れする開口部とハンガーフック「以下（フック）という」を出し入れする開口部と二つの開口部がある。
【考案の概要】
【考案を解決しようとする課題】
【０００３】  カバーはフックを出し入れする開口部を隙間なく閉じることが出来なければ虫はちょっとした隙間よりカバー内に侵入する。
従来のカバーはフック周りを隙間なく閉じれる構造になっていないので、虫はカバー内に侵入し洋服は虫に食われるという問題点がある。
【課題を解決するための手段】
【０００４】  本考案は図２のごとく、バネのある支点を設け、左右のクリップはハンガーフックを挟むための巾を拡げ、内面は付け根より先端近くまでブラシを設け、先端を挟み合わす構造からなるクリップ。を提供することで上記課題を解決するものである。
【考案の効果】
【０００５】  本考案に係るクリップは摘みを摘まんで開いた左右のクリップでカバーとフックと先端部を同時に挟み、摘みを摘ままない限り開くことはなく、簡単な作業で安定した開閉の効果を発揮する。
【図面の簡単な説明】
【０００６】
【図１】  本考案に係るクリップの斜視図である。
【図２】  本考案に係るクリップの平面図である。
【図３】  フックに斜めに添うブラシの断面図である。
【図４】  カバー最上部の開口部とフックをクリップで留めた正面図である。
【考案を実施するための形態】
【０００７】  図２に示すようにバネのある支点を設け、同じくフックを挟むための左右のクリップの巾を拡げ、内面はブラシを設けカバー最上部及びフック周りを隙間なく閉じる。
【０００８】  図３が示すように、ブラシはフックに対し斜めに添わせる。
【０００９】  図４が示すように、クリップはカバー最上部の開口部とフック周り及び先端部を隙間なく挟むことが出来る。
【００１０】  クリップ左右内面のブラシの替りにウレタンフォームを設けることもできる。
【符号の説明】
【００１１】１  クリップ
２  摘み
３  バネ
４  支点
５  ブラシ
６  ハンガーフック
７  防虫カバー
【図１】
0003200160.tif 000003
【図２】
0003200160.tif 000004
【図３】
0003200160.tif 000005
【図４】
0003200160.tif 000006
(57)【要約】      （修正有）【課題】ヘルメット装着時の心地悪さ軽減、頭皮頭髪の保護、耳と首筋の日焼け防止、熱中症対策の機能を、顎紐が付いたヘルメットの下に装着する帽子を提供する。【解決手段】吸水性、クッション性に優れた布及び布状の素材で製作するヘルメットの下に装着する帽子を、耳と首筋を被覆する形状にする事で日焼け熱中症対策を施し、ヘルメットＤ装着時に顎紐Ｅが問題にならないように、帽子の耳の上側の位置に切れ込みを設け、端部に着脱自在な留め具Ｂを設置する。【選択図】図１
0003200157.tif 000002
【実用新案登録請求の範囲】
【請求項１】
ヘルメット装着時の心地悪さの軽減と、頭皮、頭髪の保護の為、吸水性とクッション性に優れた布及び布状の素材を使用する、ヘルメットの下に装着する帽子において、耳及び首筋を被覆し直射日光を遮る形状とし、帽子装着状態の耳上側位置に切れ込みを設け、切れ込みの端部に着脱自在な留め具を設置する事で、帽子装着後であっても耳の被覆部分を容易に顎紐の上にする事が可能な、あご紐が付いたヘルメットの下に装着する帽子の形態。
【考案の詳細な説明】
【技術分野】
【０００１】
本考案は、ヘルメットの下に装着し、頭髪の保護及び日中の直射日光や紫外線よる日焼けから、耳、首周りを保護する機能を有する帽子に関する。
【背景技術】
【０００２】
ヘルメットを装着する業種において、装着は義務化されており、構造は強度がある樹脂などで大きい帽子状に形成された外殻と、衝撃を吸収する為に、頭皮に密着させる樹脂で形成された内部構造になっている。
【０００３】
しかし、頭皮、頭髪に樹脂成型された部材が直接当たることは、装着しても心地悪く、頭髪にダメージを与える悪影響があるのでタオルなどを巻いた上でヘルメットを装着する人が多くいる。
【０００４】
タオルを頭に巻いて固定させる為、後頭部などでタオルを結ぶ手段を取っているが、その事によりヘルメットを被ったときに内側に入る容積が増え、ヘルメットが装着しにくくなり、日焼けや熱中症には効果がない。
【０００５】
この改善策として、タオル素材の生地など吸水性が高くクッション性も備えた布及び布状の素材をつかった帽子を製作し、帽子に日よけ効果を持たせる為に、耳や首周りを被覆する機能を持たせ、ヘルメットに必ず装備されている、あご紐を締めることに支障にならない形状にする。
【先行技術文献】
【特許文献】
【０００６】
【特許文献１】特開２０１１−２５６５０５号公報
【特許文献２】特開２０１４−１３３９６２号公報
【考案の概要】
【考案が解決しようとする課題】
【０００７】
ヘルメット装着時、心地悪い装着感、頭皮、頭髪への悪影響があり、タオルを巻いても固定するために作られる結び目などでヘルメットを装着しにくくなってしまう問題点があり、耳、首筋に直射日光があたる事の対策にはならない。
【課題を解決するための手段】
【０００８】
本考案は、吸水性、耐久性、衝撃吸収性を備えた、布及び布状の素材で製作した帽子に、耳の上の部分から延ばした耳及び首筋までを覆う部分を設け、装着時に被覆機能を持つ部分の耳の上側の位置で切れ込んだ形状とし、帽子の被覆機能部分端部と耳の前付近に、着脱自在の留め具を設置し、ヘルメットのあご紐を締めた後に留め具を繋げることで、ヘルメットの下に装着した時に耳を被覆する部分が、あご紐の下にならないようにした。
【考案の効果】
【０００９】
ヘルメットアンダーはヘルメット装着前に装着するだけでよく、ヘルメットの装着に支障をきたさない上に、野外作業従事者が免れない耳、首筋の日焼けと、熱中症を防ぐ被覆部分を備えた形状を持ち、業務上ヘルメットに表示させる義務がある職種では、名前、血液型、会社名などを、後頭部被覆部分に書くことが可能であり、建設関係の業務で、会社が社名入りのヘルメットアンダーを作業員に配布することにより熱中症対策、氏名血液型明示の徹底に繋がる。
【図面の簡単な説明】
【００１０】
【図１】図１はメットアンダーの留め具を外した状態の左側面図ある。（実施例１）
【図２】図２はメットアンダーの留め具を繋げ、ヘルメットを装着した状態の左側面図である。（実施例２）
【考案を実施するための形態】
【００１１】
メットアンダーは、発汗とクッション性に優れた材質で布及び布状の素材で製作し、耳、後頭部、首筋まで被覆する部分を一体化した帽子形状に製作し、装着時に耳の上になる位置に切れ込みを設け、切れ込みの端部に着脱自在な留め具、を設置する事で、留め具を外した状態でメットアンダー装着後にヘルメットを装着し、あご紐を締めてからメットアンダーの耳被覆部分を繋げる事を可能とする。
【実施例１】
【００１２】
図１は、メットアンダー単体とヘルメットを装着した状態であり、着脱自在な留め具Bはヘルメット装着後、切れ込み部分を繋げる事を可能とし、ヘルメットの装着を容易にする。
【実施例２】
【００１３】
図２の実施例は、あご紐を締めた後、留め具を繋げた状態であり、耳と首筋の日焼けを防止し、首に直射日光を当てない事で熱中症も防ぐ。そしてCの部分に氏名、血液型、会社名を明記する事が可能で、建設会社など野外作業が多い業種に適している。
【産業上の利用可能性】
【００１４】
ヘルメットを装着する業務において、心地悪さをタオルで補う人が多く見受けられるが、ヘルメット装着に支障をきたすタオルなどに替わり、装着に手惑わないメットアンダーを利用する事で、日中の紫外線から耳、首筋を守り、熱中症を防ぐ上に、氏名、血液型、を自然に表示する効果があり、会社名を印刷したヘルメットアンダーを、社員及び関連する会社へ配布する事は会社の宣伝ともなる。
【符号の説明】
【００１５】
A    メットアンダー
B    着脱可能な留め具
C    ヘルメットアンダー明示事項表示部分
D    ヘルメット
E    顎紐
【図１】
0003200157.tif 000003
【図２】
0003200157.tif 000004
(57)【要約】      （修正有）【課題】鉄骨・コンクリート製の廊下・階段の歩行・昇降時の靴の音を無くす消音構造体を提供する。【解決手段】鉄骨・コンクリート製の廊下・階段の上に消音シート１を裏面に貼り付けた歩行用鉄板２を重ねて取り付け、廊下・階段の歩行音を無くす。【選択図】図１
0003200171.tif 000002
【実用新案登録請求の範囲】
【請求項１】
鉄骨・コンクリートの廊下・階段に対し消音シートを貼り付けた鉄板を重ねて取付けた構造体。
【考案の詳細な説明】
【技術分野】
【０００１】  本考案は鉄骨・コンクリート製廊下・階段の歩行昇降音の消音に関するものである。
【背景技術】
【０００２】  樹脂製歩行用マット・人工芝等を廊下・階段に敷き重ねることによって歩行昇降音を消している。
【考案の概要】
【考案が解決しようとする課題】
【０００３】  鉄骨・コンクリート製の廊下・階段の歩行・昇降時の靴の音が建物の居住者の騒音となっている。
従来は樹脂製歩行用マット・人工芝等を廊下・階段に敷き重ねることによって歩行昇降音を消しているが、樹脂製歩行用マットは耐候性に弱く、人工芝は汚れが激しくある程度の価格が要る。
【課題を解決するための手段】
【０００４】  鉄骨・コンクリート製の廊下・階段の上に消音シートを裏面に貼り付けた歩行用鉄板を重ねて取り付け、廊下・階段の歩行音を無くす構造体。
【図面の簡単な説明】
【０００５】
【図１】消音シート（１）を貼り付けた歩行用鉄板（３）の図である。
【図２】消音シート貼鉄板（３）をコンクリート製廊下（４）に取り付けた廊下の図である。
【図３】消音シート貼鉄板（３）を鉄骨製階段（５）に取り付けた階段の図である。
【考案を実施するための形態】
【０００６】本考案は、集合住宅等の鉄骨・コンクリート製廊下・階段は歩行昇降音がその建物の住民の騒音となるという課題に対し、消音シートを貼った歩行鉄板を重ねることによって歩行昇降音を無くす構造体である。
【図１】
0003200171.tif 000003
【図２】
0003200171.tif 000004
【図３】
0003200171.tif 000005
(57)【要約】      （修正有）【課題】ゴルフスイングの正確なフォーム（オンプレーン）を体得し、トップから腰始動でダウンスイングに入り、インパクトからフォロースルーにかけて、スイングパワーの向上と腹筋など体幹を鍛える安価で簡易な構造のゴルフスイング練習器を提供する。【解決手段】高さ１．８〜２．２ｍの横壁フック止め７にゴムひも１を吊るし、ゴルフシャフト６を内挿した約１ｋｇの樹脂性ヘッド４にヒートン２をつけ、ヒートンにヘッドフック止め５をつける。ゴムひもを伸ばした状態で樹脂性ヘッドに負荷を掛けず、リラックスの状態にしてアドレスする。トップの位置は、アドレスと同じゴムひもが伸びた状態で少し引っ張られた状態で、腰だけ始動し、同じアドレスの位置でインパクトを迎え、スピードアップしフォロースルーまで加速する。【選択図】図１
0003200173.tif 000002
【実用新案登録請求の範囲】
【請求項１】
樹脂性の杭をカットした樹脂棒の中心に穴を空け、ゴルフシャフトを内挿した樹脂棒を樹脂性ヘッドとし、その樹脂性ヘッドの手元にヒートンを付け、ゴムひも調整具をつけたゴムひもにヘッドフック止めをつけヒートンにかけ、そのゴムひもを横壁フック止めに吊るし、吊るした樹脂性ヘッドで一連のゴルフスイングであるアドレス、テイクバック、トップ、インパクトフォロースルーが正確なオンプレーンで体得できるゴルフスイング練習器具。
【考案の詳細な説明】
【技術分野】
【０００１】  本案件は横壁に付けた横壁フック止め（５）にゴムひも（１）を吊るして、約１ｋｇの樹脂性ヘッド（４）の重さを補助することにより、ゴルフスイングをアドレス、テイクバック、トップ、インパクトフォロースルーの正確なオンプレーンを体得し、トップから腰始動で最適なインパクトゾーンを実現する事が出来、スイングスピードやスイングパワーの向上を図る事が出来る安価なゴルフスイング練習器具である。
【背景技術】
【０００２】  従来、ゴルフスイングを練習するために様々な練習器具が用いられており、例えばゴルフクラブを模したヘッドの重い棒状のゴルフスイング練習器具が知られている。
【先行技術文献】
【特許文献】
【０００３】
【特許文献１】  実用新案登録番号  第３０５９５１６号公報
【考案の概要】
【考案が解決しようとする課題】
【０００４】  ゴルフスイングは両腕と連動する振り子運動であるが、ゴルフクラブは軽いため手打ちになりやすく、腰始動が難しい。またオンプレーン運動が分かりにくく、間違ったスイングフォームや狂ったタイミングで打ってしまう。前述の課題を解決するため、正しいスイングを反復練習出来る練習器具を提供する
【課題を解決するための手段】
【０００５】  本案件は従来の練習方法では成し得なかった問題を解決しようとするものであり、樹脂性の杭をカットした樹脂棒の中心に穴を空け、ゴルフシャフト（６）を内挿した樹脂棒を樹脂性ヘッド（４）とし、その樹脂性ヘッド（４）の手元にヒートン（２）を付け、ゴムひも調整具（３）をつけたゴムひも（１）にヘッドフック止め（５）をつけヒートン（２）にかけ、そのゴムひも（１）を横壁フック止め（７）に吊るし、吊るした樹脂性ヘッド（４）で一連のゴルフスイングであるアドレス、テイクバック、トップ、インパクトフォロースルーが正確なオンプレーンで体得できるゴルフスイング練習器具から構成される。
【考案の効果】
【０００６】  本案件のゴルフスイング練習器具は、スイング軌道がトップからフォロースルーまでオンプレーンスイングを体感することが出来、繰り返しの練習により理想のゴルフスイングを作る。またトップから最初に腰運動で始め易く、約１ｋｇの樹脂性ヘッド（４）でスイング練習すると腹筋など体を鍛える事が出来る。【０００７】  本案件のゴルフスイング練習器具は、コンパクトで持ち運びが可能であるため、自宅でも使用が出来る。また、子供から大人まで使用できるように樹脂性ヘッド（４）の重さや長さの調整が出来、併せてゴムひも（１）の長さや強さも変える事が出来る。
【図面の簡単な説明】
【０００８】
【図１】  本案件の本実施形態に係るゴルフスイング練習器具の概略を示す横から見た図である。本図で示す通り、本ゴルフスイング練習器具は、横壁フック止め（７）にゴムひも（１）を吊るし、樹脂性ヘッド（４）のゴルフスイング練習器具を使用したアドレスを取った時の状態図である。
【図２】  本案件に係るゴルフスイング練習器具の好ましい実施形態におけるトップの状態を示す図である。
【図３】  上記実施形態におけるインパクトの状態を示す図である。
【図４】  上記実施形態におけるフォロースルーの状態を示す図である。
【図５】  樹脂性ヘッドにゴルフシャフト（６）を内挿した状態を示す図である。
【図６】  ゴムひも（１）にゴムひも調整具（３）を付けた図である。
【考案を実施するための形態】
【０００９】  横壁に高さ約１．８ｍ〜２．２ｍに横壁フック止め（７）をつくり、ゴムひも（１）を通常のゴルフシャフトの手元から４０ｃｍカットしたゴルフシャフト（６）を樹脂性ヘッド（４）重さ約１ｋｇに手元中心１５ｃｍ内挿し、ヘッドの手元から１０ｃｍのところにゴムひも（１）を掛けるヒートン（２）を付け、ゴムひも（１）がゴルフスイングアドレスの長さ（約１．５ｍ）にセットする。
【００１０】  図１に示す横壁フック止め（７）にゴムひも（１）を吊るし、約１ｋｇの樹脂性ヘッド（４）にヒートン（２）をつけ、ヒートン（２）にヘッドフック止め（５）をつける。ゴムひも（１）を伸ばした状態で樹脂性ヘッド（４）に負荷を掛けず、リラックスの状態にしてアドレスする。
図２でトップの位置は、アドレスと同じゴムひも（１）が伸びた状態で少し引っ張られた型で重さを感じて、その状態で腰だけ始動し、同じアドレスの位置でインパクトを迎え、スピードアップしフォロースルーまで加速する。
【００１１】  樹脂性ヘッド（４）の長さや重さはプレーヤーに合せて電動丸鋸でカットし、ゴムひも（１）はゴムひも調整具（３）で合せる。
【符号の説明】
【００１２】１．ゴムひも
２．ヒートン
３．ゴムひも調整具
４．樹脂性ヘッド
５．ヘッドフック止め
６．ゴルフシャフト
７．横壁フック止め
【図１】
0003200173.tif 000003
【図２】
0003200173.tif 000004
【図３】
0003200173.tif 000005
【図４】
0003200173.tif 000006
【図５】
0003200173.tif 000007
【図６】
0003200173.tif 000008
(57)【要約】      （修正有）【課題】草刈りの作業能率、作業時間並びに作業の軽量化を推進し作業中におけるトラブルの防止を図った刈取り草の巻込み防止装置を提供する。【解決手段】鉄板を∩の字型に加工し、草刈機の刃に回転の伝動を伝える回転軸のパイプに鋼板を取り付け、草刈機の刃と回転軸のパイプとの間を遮断することを特徴とする。【選択図】図１
0003200260.tif 000002
【実用新案登録請求の範囲】
【請求項１】
鋼板を∩の字型に加工し、形成することを構造とする刈取り草の巻込み防止装置
【請求項２】
鋼板の長さを草刈機刃の根元内径の寸法内とし、さらに草刈機の刃との隙間を１ｍｍの構造とする刈取り草の巻込み防止装置
【考案の詳細な説明】
【技術分野】
【０００１】  本考案は、刈取り草が回転する草刈機の刃の回転軸に巻き込むのを防止のための防止装置に関するものである。
【背景技術】
【０００２】  本、刈取り草の巻き込み防止装置を構成する鋼板は、鋼板の厚さ１ｍｍを有するものを使用する。
（参考写真３参照）（図１参照）【０００３】  草刈機は、肩掛け用のものでバンドで肩に掛けて作業するもので肩に対する過重負担と比較的作業労働に対する負担（力学的モーメント）を軽減するために刈取り草の巻き込み防止装置の重量を軽量に製作することが必要である。
また刈取り草の巻き込み防止の効率を高めるために、製作に当たっては構造を緻密に計算し、刈取り草が回転軸に入り込まずかつ巻き込まない構造にすることが重要である。
（参考写真５参照）（図１〜３参照）【０００４】  刈取り草の巻き込み防止装置を構成する鋼板の厚さ１ｍｍを有するものを使用し、この鋼板を加工するに草刈機の本体から回転軸までのパイプの太さ、つまり直径を計測してから水道管の鋼管パイプの円形を活用するなどすると鋼板を∩の字型に木型ハンマーで加工する。
木型ハンマーを使用した理由は、∩の字型に加工する時に鋼板の表面に凹凸ができないようする。
（参考写真１〜７参照）（図１参照）【０００５】  メーカーによって草刈機の設計上の違いで草刈機の刃と刃の回転の伝動を伝える回転軸のパイプとの傾斜角度などを計測する。
刈取り草が宙に舞い上がり、パイプと草刈機の刃との中に入り込まないようにするために草刈機の刃と回転軸のパイプとの間を遮蔽し草刈機の刃の回転に影響を及ぼさないつまり１ｍｍに抑える。
（参考写真５参照）（図１〜３参照）【０００６】  刈取り草の巻き込み防止装置を草刈機本体に取り付けには、回転の伝動を伝える回転軸のパイプに取り付けされているネジを利用する。
刈取り草の巻き込み防止装置にネジの大きさの穴をドリルで開ける。
振動でネジが緩まないようにワッシャーを通して防止装置を取り付ける。
（参考写真７参照）（図１〜２参照）【０００７】  草刈機用は、肩掛け用なので肩に負担が掛からないよう軽量にしたい関係上、鋼板の厚さを１ｍｍが刈取り草の動きからなどの条件から最適とした。
（参考写真７参照）（図１〜３参照）【０００８】  刈取り草の巻き込み防止装置の大きさの長さについては、草刈機の刃の元内径の寸法として刃と刈取り草の巻き込み防止装置とが接触しないような大きさの寸法とする。
（参考写真５〜７参照）
【図面の簡単な説明】
【図１】：この図１は、立体的に全体から見た刈取り草の巻込み防止装置の図です。
【図２】：この図２は、左側面から見た刈取り草の巻込み防止装置の図です。
【図３】：この図３は、右側面から見た刈取り草の巻込み防止装置の図です。
【図１】
0003200260.tif 000003
【図２】
0003200260.tif 000004
【図３】
0003200260.tif 000005
【手続補正書】
【提出日】平成27年7月3日(2015.7.3)
【手続補正１】
【補正対象書類名】実用新案登録請求の範囲
【補正対象項目名】全文
【補正方法】変更
【補正の内容】
【実用新案登録請求の範囲】
【請求項１】
鋼板を∩の字型に加工し、草刈機の刃に回転の伝動を伝える回転軸のパイプに前記鋼板を取り付け、草刈機の刃と回転軸のパイプとの間を遮断することを特徴とする刈取り草の巻込み防止装置
【請求項２】
前記鋼板の長さを草刈機刃の根元内径の寸法内とし、さらに草刈機の刃との隙間を１ｍｍの構造とすることを特徴とする請求項１に記載の刈取り草の巻込み防止装置
(57)【要約】      （修正有）【課題】ホテル等の椅子の背もたれに取り付ける書類収納ポケットを提供する。【解決手段】書類を収納する書類収納ポケットの両端部分に滑りづらい材質のベルトを設け、前記ベルトにより椅子の背もたれを包み込むことによって、どのような形状の背もたれにも装着可能としたことを特徴とする。【選択図】図１
0003200258.tif 000002
【実用新案登録請求の範囲】
【請求項１】
椅子の背もたれに書類収納ポケットを装着する。
【請求項２】
どのような形状の背もたれにも対応できるよう、ベルトで横から包み込むように装着する。
【考案の詳細な説明】
【技術分野】
【０００１】この考案は、ホテル等の椅子の背もたれに取り付ける書類収納ポケットに関するものである。
【背景技術】
【０００２】従来のホテル等の椅子の背もたれには、何もついていない。
【考案の概要】
【考案が解決しようとする課題】
【０００３】ホテル等で会議等を行った後、引き続いて宴会となるケースが多い。
この時、先の会議資料（多くはＡ４版程度の事務封筒に入っている）の取り扱いが面倒である。背もたれの内側に立て掛けると、背もたれと座の隙間から床に落ちたり、椅子の脚部に立て掛けると、立ったり座ったりする度に床に倒れてしまう。
【考案が解決しようとする課題】
【０００４】以上の課題を解決するために、椅子の背もたれに書類収納ポケットを装着する。乗用車やバス・列車・旅客機等の背もたれに付いている網状或はバッグの外ポケット状収納ポケットである。既存の椅子の背もたれの形状がどのようなものでも対応できるものでなければならない。
【考案の効果】
【０００５】会議後の宴会で、書類の取り扱いに便利であるうえ、椅子そのものを新規に買うのではなく、後付のパーツとして装着するので、費用が安く済む。
【図面の簡単な説明】
【図１】この考案の一実施形態を背後から見た斜視図である。
【図２】この考案の一実施形態を前から見た斜視図である。
【図３】従来技術を示す斜視図である。
【考案を実施するための形態】
【０００６】この考案の一実施形態を、図１に示す。
ポケットの形状は、網型・バッグの外ポケット型いずれでも良い。背もたれの上部の形状は、丸型・平型など様々であるが、パイプ椅子にいたるまで、横幅はほぼ決まっている。どのような形状の背もたれにも対応できるように、背もたれをベルトで横から包み込む構造とする。ベルトは、ゴム等のすべりづらい材質を用い、包み込んだ先で、マジックテープで固定する。
【図１】
0003200258.tif 000003
【図２】
0003200258.tif 000004
【図３】
0003200258.tif 000005
【手続補正書】
【提出日】平成27年7月22日(2015.7.22)
【手続補正１】
【補正対象書類名】実用新案登録請求の範囲
【補正対象項目名】全文
【補正方法】変更
【補正の内容】
【実用新案登録請求の範囲】
【請求項１】
書類を収納する書類収納ポケットの両端部分に滑りずらい材質のベルトを設け、前記ベルトにより椅子の背もたれを包み込むことによって、どのような形状の背もたれにも装着可能としたことを特徴とする、書類収納ポケット。
(57)【要約】      （修正有）【課題】構造が簡単で、外観が美しい、また貯蔵機能を持った環境保護型暖炉を提供する。【解決手段】暖炉の本体４の下端にベース２が設けられる。ベースの中に貯蔵室１が設置され、暖炉の本体の内表面には金属層が貼られる。暖炉の本体の先端に仕切り板３を設け、暖炉の本体の上端の後側に排気管５が設けられる。【選択図】図１
0003200290.tif 000002
【実用新案登録請求の範囲】
【請求項１】
暖炉において、暖炉の本体（４）を含み、暖炉の本体（４）の下端にベース（２）が設けられ、ベース（２）の中には貯蔵室（１）が設けられ、暖炉の本体（４）の内表面には金属層が貼られ、暖炉の本体（４）の先端には仕切り板（３）が設けられ、暖炉の本体（４）の上端の後側には排気管（５）が設けられたことを特徴とする暖炉。
【請求項２】
請求項１に記載の暖炉において、排気管（５）と暖炉の本体（４）の内部が通じていることを特徴とする暖炉。
【考案の詳細な説明】
【技術分野】
【０００１】
本実用新案は、一種の貯蔵機能を持った環境保護型暖炉にかかわる。
【背景技術】
【０００２】
昔から今まで、暖炉は、ずっと暖を取る主要なツールとする。主には、部屋の壁に、燃焼室を発掘され、部屋の外に連接する排気管を設置する。炭など燃える材質が部屋の燃焼室に投入され、燃焼したら、部屋に熱量を発散できる。でも、排気ダクトが排気管で部屋の外に排出できる。しかし今、一般的な家庭は、エアコンを使え、暖炉がだんだん欠如になっている。
【考案の概要】
【考案が解決しようとする課題】
【０００３】
本実用新案が解決の技術問題は、構造が簡単で、外観が美しい、また貯蔵機能を持った環境保護型暖炉を提供する。
【課題を解決するための手段】
【０００４】
これ以上の問題を解決するために、本実用新案は以下の技術方案を採用する。この一種の貯蔵機能を持った環境保護型暖炉は、暖炉の本体を含みる。暖炉の本体の下端にベースをインストールされる。ベースの中で貯蔵室をインストールされ、暖炉の本体の内表面に金属層を貼っている。暖炉の本体の先端に仕切り板をインストールされ、暖炉の本体の上端の後側に排気管をインストールされる。
【０００５】
さらに技術方案で、排気管と暖炉の本体の内部が通じている。
【考案の効果】
【０００６】
この一種の貯蔵機能を持った環境保護型暖炉の有益効果は、この実施な新型がベースに貯蔵室をインストールすることを通じて、物を預かることができり、合理的に空間を利用する作用がある。さらに、暖を取る効果を達成するだけではなく、暖炉の外観がもっと美しい。
【図面の簡単な説明】
【０００７】
【図１】新型の一種の貯蔵機能を持った環境保護型暖炉の見取り図である。
【考案を実施するための形態】
【０００８】
図１を見て、この一種の貯蔵機能を持った環境保護型暖炉は、暖炉の本体５を含みる。暖炉の本体５の下端にベース２をインストールされる。ベース２の中で貯蔵室１をインストールされ、暖炉の本体４の内表面に金属層（図にない）を貼っている。暖炉の本体４の先端に仕切り板３をインストールされ、暖炉の本体４の上端の後側に排気管５をインストールされる。
【０００９】
本実用新案の一種の優先的な方式は、排気管５と暖炉の本体４の内部が通じている。
【００１０】
この一種の貯蔵機能を持った環境保護型暖炉の有益効果は、この実施な新型がベースに貯蔵室をインストールすることを通じて、物を預かることができり、合理的に空間を利用する作用がある。さらに、暖を取る効果を達成するだけではなく、暖炉の外観がもっと美しい。
【００１１】
以上によると、これは、わずか本実用新案の具体的な実施方式である。でも、本実用新案の保護範囲は、ここにだけではなく、何か創造的な労働を経てない変化と替えることが、本実用新案の保護範囲にいる。だから、本実用新案の保護範囲は、権利請求書に限定の保護範囲によって基準をする。
【符号の説明】
【００１２】
１  貯蔵室
２  ベース
３  仕切り板
４  本体
【図１】
0003200290.tif 000003